(57)【要約】      （修正有）【課題】製造ならびにメンテナンスコストを低減し、防水性能を高めた電気機器収納箱における電線貫通部の防水構造を提供する。【解決手段】電気機器収納箱１に接続される内径の一方の端部に段付き部４１を有する丸孔を形成したガスケット押え４とケーブルＣとの間に、内周面に複数枚の環状リブを軸方向略等間隔に形成し、外周面には少なくとも１枚の環状リブを軸方向中間に形成した筒状ガスケット５を装着する。また、ガスケット押え４は接続側と反対側に円周方向のスリットを設け結束バンドを装着することにより脱落を防止できる。【選択図】図１
2005142472.tif 000002
【特許請求の範囲】
【請求項１】
電気機器収納箱における電線貫通部の防水構造であって、この電気機器収納箱（１）に隙間をなくして接続される嵌装体（４、７）と電気機器収納箱を貫通するケーブル（Ｃ）との間に筒状ガスケット（５）を装着したことを特徴とする電気機器収納箱における電線貫通部の防水構造。
【請求項２】
前記の筒状ガスケット（５）が内周面には複数枚の環状リブ（51）を軸方向略等間隔に形成し、外周面には少なくとも１枚の環状リブ（52）を軸方向中間に形成したものである請求項１に記載の電気機器収納箱における電線貫通部の防水構造。
【請求項３】
前記の嵌装体が、内径の一方の端部に段付き部（41）を有する丸孔を形成したガスケット押え（４）である請求項１または２に記載の電気機器収納箱における電線貫通部の防水構造。
【請求項４】
前記の嵌装体が、接続側と反対側に結束バンド（72）を装着するための円周方向のスリット（71）を設けた口出し管（７）である請求項１または２に記載の電気機器収納箱における電線貫通部の防水構造。
【発明の詳細な説明】
【技術分野】
【０００１】
本発明は、主として鉄道車両の床下等に取り付けられる電気機器収納箱における電線貫通部の防水構造に関する。
【背景技術】
【０００２】
鉄道車両にはさまざまな電気機器が装備されているが、床下に取り付けられるものについては鋼板、ステンレス鋼板、アルミニウム等の金属製の箱に収納し、蓋が閉まる構造として防水、防塵を図るのが普通である。内部の機器に接続される電気配線については、この箱を貫通させる必要がある。電線は端部に接続のための端子を取り付け、ケーブル状としたものを箱の裏側で貫通させるのが普通である。図７はこのような箱の一例の裏側を示す斜視図で、１は電気機器収納箱（以下略して「箱」ということがある）、10はその裏面の切り孔、Ｃは切り孔10を貫通するケーブル、Ｔはケーブルの端部に取り付けた端子である。端子Ｔ部分を出し入れする必要上、箱１にはケーブルＣの径よりも大きい切り孔10を設けなければならないから、これをふさぐために貫通部には通常、クリートと呼ばれる２つ割りの電線押さえをあてがい、接合面にシール材を塗布して密封する。図８は取り付け完了状態における箱の裏側を示す斜視図で、８はクリート、81は上下のクリートを結合する縫い合わせボルト、82は結合したクリートを箱１に固定する取り付けボルト、Ｓはシール材である。
【０００３】
一方、特許文献１には、電気配線や電気機器の接続部分で使用する電気接続器においてケーブルの口出し部分に使用する防水用の筒状のガスケットが記載されている。図９はソケットとプラグで対をなす電気接続器のうちのソケット９を一部断面で示す側面図で、91はソケット９の外側部分である金属製略円筒状のケーシング、92はその内部に嵌入された絶縁台、93は絶縁台92を介してさらに内部に取り付けられた導電体のソケットコンタクト、５はソケットコンタクト93に接続されたケーブルＣとケーシング91との間に挿入された防水用の筒状ガスケット、94はこれを締めつける締め付けグランドである。
【０００４】
図10は特許文献１に記載された発明における筒状ガスケット５を一部断面で示す側面図で、51はその内周面に形成された環状リブ、52は同じく外周面に形成された環状リブである。なお特に図示しないが、相手側のプラグについても筒状ガスケットの使用状態はこれと同様である。
【０００５】
筒状ガスケット５は合成ゴム製で「グロメット」とも呼ばれる。図９に示すように内周面、外周面でそれぞれケーブルＣの外周面およびケーシング91の内周面に接し、押しつぶされることにより防水性能を発揮するものであるが、特許文献１に記載の発明においては内周面には複数枚の環状リブ51を軸方向略等間隔に形成し、外周面には少なくとも1枚の環状リブ52を軸方向中間に形成するものとし、それぞれの環状リブ51、52の断面の厚みをｔ、突き出し長さをｈとするとき、ｈ／ｔの比が１．５以上６．０以下であることが望ましいとしている。
【特許文献１】特開２００２−１８４５１５号公報
【発明の開示】
【発明が解決しようとする課題】
【０００６】
図７、８で説明した従来の技術には、次のような問題点がある。
【０００７】
第１にクリートの組み立て、取り付けに長時間がかかる上、シール材の塗布後、乾燥時間を必要とするので作業にもコストがかかる。
【０００８】
第２に、近年新幹線列車の高速化その他によって、トンネル内のすれ違い時などに従来予想できなかったような気圧変動が生じていることがわかり、これまでの防水構造では防水性能が不十分であると考えられるようになってきた。
【０００９】
本発明は、このような従来技術における問題点を解消し、コストを軽減して防水性能を高めた電気機器収納箱における電線貫通部の防水構造を実現することを目的とする。
【課題を解決するための手段】
【００１０】
本発明は、電気機器収納箱における電線貫通部の防水構造であって、この電気機器収納箱に隙間をなくして接続される嵌装体と電気機器収納箱を貫通するケーブルとの間に筒状ガスケットを装着したことを特徴とする電気機器収納箱における電線貫通部の防水構造であり、望ましくは前記の筒状ガスケットが内周面には複数枚の環状リブを軸方向略等間隔に形成し、外周面には少なくとも１枚の環状リブを軸方向中間に形成したものである前記の電気機器収納箱における電線貫通部の防水構造であり、また、前記の電気機器収納箱に接続される嵌装体が、内径の一方の端部に段付き部を有する丸孔を形成したガスケット押えである前記の電気機器収納箱における電線貫通部の防水構造であるか、あるいは前記の電気機器収納箱に接続される嵌装体が、接続側と反対側に結束バンドを装着するための円周方向のスリットを設けた口出し管である前記の電気機器収納箱における電線貫通部の防水構造である。
【発明の効果】
【００１１】
本発明においては、従来のようなクリートやシール材を使用しないので配線作業ならびにメンテナンス作業がコストダウンされるとともにシール材を使用しないため乾燥時間が不要で作業時間が短縮でき、筒状ガスケットの使用により防水性能が格段に向上するというすぐれた効果を奏する。
【００１２】
鉄道車両における防水性能については、日本工業規格の  JIS E 4202 ［ジャンパ連結器］の防水性の項に規定されている「水中１ｍの位置に１５分間浸して内部への浸水の有無を調べる」がひとつの目安とされているが、本発明の防水構造はいずれの実施例においても上記基準の２倍である「水中２ｍ、１５分間」をクリアする好成績を示した。
【発明を実施するための最良の形態】
【００１３】
本発明においては、電気機器収納箱の貫通部で箱に隙間をなくして接続される嵌装体と箱を貫通するケーブルとの間に筒状ガスケット５を装着して防水を行うようにした。筒状ガスケット５は、特許文献１に記載された発明のように内周面、外周面それぞれに環状リブ51、52を形成したものが望ましいが、本発明においては、特に内周面の環状リブ51の防水効果が重要である。またそれぞれの環状リブ51、52の断面の厚みをｔ、突き出し長さをｈとするとき、ｈ／ｔの比が１．５以上６．０以下であることが望ましいのはもちろんであるが、本発明においては特にこの寸法を有するもののみに限定するものではない。
【実施例１】
【００１４】
本発明の第１の実施例を図１により説明する。この図は電気機器収納箱の裏側のケーブルＣの貫通部（口出し部分）を示す断面図で、１は箱（の裏板）、10はその裏面の切り孔、２はゴムシートを切断した板ガスケット、３は硬質の支え板、４は樹脂または金属製で片側の内径部に段付き部41を有する丸孔を形成したガスケット押え、５は筒状ガスケットである。
【００１５】
金属製の箱１に対して隙間が生じないように弾性材である板ガスケット２を介して支え板３を配置し、ケーブルＣに嵌めた筒状ガスケット５にガスケット押え４をかぶせ、前記の支え板３とガスケット押え４の段付き部41とで筒状ガスケット５をはさむようにしてガスケット押え４を箱１に接続させ、防水構造を実現している。
【００１６】
なお、以下の各実施例を含めて、実際には箱を貫通するケーブルＣが複数本ある場合が普通であるから、板ガスケット２、支え板３、ガスケット押え４等は必ずしもケーブルＣ１本毎の独立したものでなく、これらが連なった形状のものとなることの方が多い。第１の実施例における支え板３とガスケット押え４のイメージを図２の斜視図に示す。
【実施例２】
【００１７】
本発明の第２の実施例を図３により説明する。この図も電気機器収納箱の裏側のケーブルＣの貫通部を示す断面図で、31は押えねじであり、その他の各符号は図１と同様である。
【００１８】
金属製の箱１に対して隙間が生じないように弾性材である板ガスケット２を介して丸孔を形成したガスケット押え４を第１の実施例とは逆向きに挿入し、ケーブルＣに嵌めた筒状ガスケット５を内部に押し込み、外側から支え板３をかぶせ、押えねじ31でガスケット押え４に押さえつけて筒状ガスケット５をはさむようにしてガスケット押え４を箱１に接続させ、防水構造を実現している。
【実施例３】
【００１９】
本発明の第３の実施例を図４により説明する。この図も電気機器収納箱の裏側のケーブルＣの貫通部を示す断面図で、第２の実施例との相違は、ガスケット押え４と支え板３との間にスペーサ６を入れたことである。スペーサ６は孔あき円板を２つ割りにしたもので、ガスケット押え４はこのスペーサ６の厚みに相当する分だけ厚みを小さくしてあり、長期の使用によりケーブルＣあるいは筒状ガスケット５がやせて隙間が生じた場合にはスペーサ６を除去するか、薄いものに交換することによってガスケット５を締め付け、防水機能を回復させることができる。
【実施例４】
【００２０】
本発明の第４の実施例を図５、６により説明する。図５は電気機器収納箱の裏側のケーブルＣの貫通部を示す断面図、図６はそのＡＡ断面図で、１は箱（の裏板）、10はその裏面の切り孔、11は切り孔10の内周を覆う自在ブッシュ、７は箱１の裏板に接続された口出し管、71は口出し管７に形成された円周方向のスリット、72はスリット71をとおって口出し管７にかけられた結束バンドである。
【００２１】
金属製の箱１の切り孔10を囲んで外面に口出し管７が接続されている。溶接の場合は切れ目のない全周溶接とする。ねじ止めの場合は板ガスケットをはさんで、隙間が生じないようにする。口出し管７の内径は筒状ガスケット５の外径よりもやや小さくすることが必要である。スリット71は裏板から筒状ガスケット５の長さ以上隔てた位置に設けるものとする。樹脂製の自在ブッシュ11は切り孔10を通過する際にケーブルＣを損傷しないように取り付けるもので、第１から第３までの実施例のように切り孔10が十分大きい場合には必要ない。
【００２２】
ケーブルＣを箱１に通し、筒状ガスケット５を口出し管７内に押し込んで脱落防止のための結束バンド72を装着すれば防水構造が実現する。結束バンド72はばねなどの弾性ベルトを用いてもよいし、薄鋼帯、樹脂ベルト等の柔軟なバンド材をバックル等の固定具で固定してもよい。
【図面の簡単な説明】
【００２３】
【図１】本発明の第1の実施例における箱の裏側のケーブルの口出し部分を示す断面図である。
【図２】本発明の第1の実施例における支え板とガスケット支えのイメージを示す斜視図である。
【図３】本発明の第２の実施例における箱の裏側のケーブルの口出し部分を示す断面図である。
【図４】本発明の第３の実施例における箱の裏側のケーブルの口出し部分を示す断面図である。
【図５】本発明の第４の実施例における箱の裏側のケーブルの口出し部分を示す断面図である。
【図６】図４におけるＡＡ断面図である。
【図７】従来の技術における箱の裏側をケーブルの端子をくぐらせた段階で示す斜視図である。
【図８】従来の技術における箱の裏側をケーブルの取り付け完了の状態で示す斜視図である。
【図９】従来公知の電気接続器のうちのソケットを一部断面で示す側面図である。
【図１０】従来公知の筒状ガスケットを一部断面で示す側面図である。
【符号の説明】
【００２４】
１    電気機器収納箱（箱）
２    板ガスケット
３    支え板
４    ガスケット押え（嵌装体）
５    筒状ガスケット
６    スペーサ
７    口出し管（嵌装体）
８    クリート
９    ソケット
10   切り孔
11   自在ブッシュ
31   押えねじ
41   段付き部
51、52   環状リブ
71   スリット
72   結束バンド
81   縫い合わせボルト
82   取り付けボルト
91   ケーシング
92   絶縁台
93   ソケットコンタクト
94   締め付けグランド 
Ｃ    ケーブル
Ｓ    シール材
Ｔ    端子
【図１】
2005142472.tif 000003
【図２】
2005142472.tif 000004
【図３】
2005142472.tif 000005
【図４】
2005142472.tif 000006
【図５】
2005142472.tif 000007
【図６】
2005142472.tif 000008
【図７】
2005142472.tif 000009
【図８】
2005142472.tif 000010
【図９】
2005142472.tif 000011
【図１０】
2005142472.tif 000012